(57)【特許請求の範囲】
【請求項１】
被加熱物が載置される天板と、
前記天板の下方に配置された第１コイル及び第２コイルと、
前記第１コイルに電力を供給する第１インバータ回路と、
前記第１インバータ回路とは別に設けられ、前記第２コイルに電力を供給する第２インバータ回路と、
前記第１コイルの上方の位置における前記被加熱物の上面の温度である第１上面温度と、前記第２コイルの上方の位置における前記被加熱物の上面の温度である第２上面温度とを検知する温度検知装置と、
前記第１上面温度と前記第２上面温度との差が少なくなるように、前記第１インバータ回路及び前記第２インバータ回路の駆動を制御する制御装置と、
を備え、
前記制御装置は、前記第１上面温度と前記第２上面温度との平均値を算出し、前記第１上面温度および前記第２上面温度のそれぞれが前記平均値と一致するように、前記第１コイルおよび前記第２コイルの投入火力を設定する誘導加熱調理器。
【請求項２】
前記制御装置は、
前記第１上面温度が前記第２上面温度よりも低い場合、前記第１コイルに供給する電力を増加させる
請求項１に記載の誘導加熱調理器。
【請求項３】
前記制御装置は、
前記第１上面温度が前記第２上面温度よりも低い場合、前記第２コイルに供給する電力を減少させる
請求項１に記載の誘導加熱調理器。
【請求項４】
前記制御装置は、
前記第１上面温度が前記第２上面温度よりも低い場合、前記第１コイルに供給する電力を増加させ、前記第２コイルに供給する電力を減少させる
請求項１に記載の誘導加熱調理器。
【請求項５】
前記制御装置は、
前記第１上面温度が前記第２上面温度よりも高い場合、前記第１コイルに供給する電力を減少させる
請求項１〜４の何れか一項に記載の誘導加熱調理器。
【請求項６】
前記制御装置は、
前記第１上面温度が前記第２上面温度よりも高い場合、前記第２コイルに供給する電力を増加させる
請求項１〜４の何れか一項に記載の誘導加熱調理器。
【請求項７】
前記制御装置は、
前記第１上面温度が前記第２上面温度よりも高い場合、前記第１コイルに供給する電力を減少させ、前記第２コイルに供給する電力を増加させる
請求項１〜４の何れか一項に記載の誘導加熱調理器。
【請求項８】
前記第１コイルの上方の位置における前記被加熱物の底面の温度である第１底面温度と、前記第２コイルの上方の位置における前記被加熱物の底面の温度である第２底面温度とを検知する第２温度検知装置を、備え、
前記制御装置は、
前記第１底面温度と前記第１上面温度との温度差である第１温度差と、前記第２底面温度と前記第２上面温度との温度差である第２温度差との差が少なくなるように、前記第１インバータ回路及び前記第２インバータ回路の駆動を制御する
請求項１〜７の何れか一項に記載の誘導加熱調理器。
【請求項９】
前記制御装置は、
前記第１温度差が前記第２温度差よりも大きい場合、前記第１コイルに供給する電力を増加させる
請求項８に記載の誘導加熱調理器。
【請求項１０】
前記制御装置は、
前記第１温度差が前記第２温度差よりも大きい場合、前記第２コイルに供給する電力を減少させる
請求項８に記載の誘導加熱調理器。
【請求項１１】
前記制御装置は、
前記第１温度差が前記第２温度差よりも大きい場合、前記第１コイルに供給する電力を増加させ、前記第２コイルに供給する電力を減少させる
請求項８に記載の誘導加熱調理器。
【請求項１２】
前記制御装置は、
前記第１温度差が前記第２温度差よりも小さい場合、前記第１コイルに供給する電力を減少させる
請求項８〜１１の何れか一項に記載の誘導加熱調理器。
【請求項１３】
前記制御装置は、
前記第１温度差が前記第２温度差よりも小さい場合、前記第２コイルに供給する電力を増加させる
請求項８〜１１の何れか一項に記載の誘導加熱調理器。
【請求項１４】
前記制御装置は、
前記第１温度差が前記第２温度差よりも小さい場合、前記第１コイルに供給する電力を減少させ、前記第２コイルに供給する電力を増加させる
請求項８〜１１の何れか一項に記載の誘導加熱調理器。
【請求項１５】
前記制御装置は、
前記第１インバータ回路の駆動の開始から予め設定した経過時間後における前記第１温度差が、第１閾値よりも小さい場合、前記第１インバータ回路の駆動を停止させる
請求項８〜１４の何れか一項に記載の誘導加熱調理器。
【請求項１６】
前記制御装置は、
前記第２インバータ回路の駆動の開始から予め設定した経過時間後における前記第２温度差が、第２閾値よりも小さい場合、前記第２インバータ回路の駆動を停止させる
請求項８〜１５の何れか一項に記載の誘導加熱調理器。
【請求項１７】
前記第２温度検知装置は、
前記天板の底面に接触して設けられた接触式の温度センサにより構成された
請求項８〜１６の何れか一項に記載の誘導加熱調理器。
【請求項１８】
前記温度検知装置は、
前記天板の上方に設けられた非接触式の温度センサにより構成された
請求項１〜１７の何れか一項に記載の誘導加熱調理器。
【請求項１９】
前記天板は、前記被加熱物の載置位置を示す加熱口が形成され、
前記第１コイルは、前記加熱口の中央に配置され、
前記第２コイルは、前記第１コイルの周辺に配置された
請求項１〜１８の何れか一項に記載の誘導加熱調理器。
【請求項２０】
前記制御装置は、
前記第２上面温度が前記第１上面温度よりも第３閾値以上低い場合、前記第２コイルに供給する電力の周波数を、前記第１コイルに供給する電力の周波数よりも高くする
請求項１９に記載の誘導加熱調理器。
【請求項２１】
前記第１インバータ回路及び前記第２インバータ回路を構成するスイッチングデバイスに、ワイドバンドギャップ半導体を適用した
請求項１〜２０の何れか一項に記載の誘導加熱調理器。
【請求項２２】
被加熱物が載置される天板と、
前記天板の下方に配置された第１コイル及び第２コイルと、
前記第１コイルに電力を供給する第１インバータ回路と、
前記第１インバータ回路とは別に設けられ、前記第２コイルに電力を供給する第２インバータ回路と、
前記第１コイルの上方の位置における前記被加熱物の上面の温度である第１上面温度と、前記第２コイルの上方の位置における前記被加熱物の上面の温度である第２上面温度とを検知する温度検知装置と、
前記第１コイルの上方の位置における前記被加熱物の底面の温度である第１底面温度と、前記第２コイルの上方の位置における前記被加熱物の底面の温度である第２底面温度とを検知する第２温度検知装置と、
前記第１上面温度と前記第２上面温度との差が少なくなるように、前記第１インバータ回路及び前記第２インバータ回路の駆動を制御する制御装置と、
を備え、
前記制御装置は、
前記第１底面温度と前記第１上面温度との温度差である第１温度差と、前記第２底面温度と前記第２上面温度との温度差である第２温度差との差が少なくなるように、前記第１インバータ回路及び前記第２インバータ回路の駆動を制御する誘導加熱調理器。
【発明の詳細な説明】
【技術分野】
【０００１】
本発明は、複数のコイルにより被加熱物を誘導加熱する誘導加熱調理器に関する。
【背景技術】
【０００２】
従来の誘導加熱調理器においては、例えば、内側加熱コイルと、外側加熱コイルと、内側加熱コイル及び外側加熱コイルのそれぞれに独立して高周波電流を供給する複数の電源部とを備えたものが提案されている（例えば、特許文献１参照）。
【先行技術文献】
【特許文献】
【０００３】
【特許文献１】特許第５４９５９６０号公報
【発明の概要】
【発明が解決しようとする課題】
【０００４】
従来の誘導加熱調理器では、食材などが投入された被加熱物を、複数のコイルによって誘導加熱を行う。しかし、複数のコイルのそれぞれに供給される電力が同じであっても、食材の形状又は載置位置等によっては食材の温度が均一にならず、食材に温度ムラが生じるという問題点があった。【０００５】
本発明は、上記のような課題を解決するためになされたもので、被加熱物に投入された食材の温度熱ムラを抑制することができる誘導加熱調理器を得るものである。
【課題を解決するための手段】
【０００６】
本発明に係る誘導加熱調理器は、被加熱物が載置される天板と、前記天板の下方に配置された第１コイル及び第２コイルと、前記第１コイルに電力を供給する第１インバータ回路と、前記第１インバータ回路とは別に設けられ、前記第２コイルに電力を供給する第２インバータ回路と、前記第１コイルの上方の位置における前記被加熱物の上面の温度である第１上面温度と、前記第２コイルの上方の位置における前記被加熱物の上面の温度である第２上面温度とを検知する温度検知装置と、前記第１上面温度と前記第２上面温度との差が少なくなるように、前記第１インバータ回路及び前記第２インバータ回路の駆動を制御する制御装置と、を備え、前記制御装置は、前記第１上面温度と前記第２上面温度との平均値を算出し、前記第１上面温度および前記第２上面温度のそれぞれが前記平均値と一致するように、前記第１コイルおよび前記第２コイルの投入火力を設定するものである。
【発明の効果】
【０００７】
本発明は、第１上面温度と第２上面温度との差が少なくなるように、第１インバータ回路及び第２インバータ回路の駆動を制御することにより、被加熱物に投入された食材の温度熱ムラを抑制することができる。
【図面の簡単な説明】
【０００８】
【図１】実施の形態１に係る誘導加熱調理器の全体構成を示す斜視図である。
【図２】実施の形態１に係る誘導加熱調理器の第１の加熱手段を示す図である。
【図３】実施の形態１に係る誘導加熱調理器の第１の加熱手段の駆動回路を示すブロック図である。
【図４】実施の形態１に係る誘導加熱調理器の上面温度検知装置による温度検知の位置を模式的に示す側断面である。
【図５】実施の形態１に係る誘導加熱調理器の上面温度検知装置による温度検知の位置を模式的に示す平面図である。
【図６】実施の形態１に係る誘導加熱調理器の天板上に載置された被加熱物を示す平面図である。
【図７】実施の形態１に係る誘導加熱調理器の加熱動作を示すフローチャートである。
【図８】実施の形態２に係る誘導加熱調理器の第１の加熱手段と底面温度検知装置を示す平面図である。
【図９】実施の形態２に係る誘導加熱調理器の上面温度検知装置及び底面温度検知装置による温度検知の位置を模式的に示す側断面である。
【図１０】実施の形態２に係る誘導加熱調理器の加熱動作を示すフローチャートである。
【図１１】実施の形態３に係る誘導加熱調理器の加熱動作を示すフローチャートである。
【図１２】実施の形態４に係る誘導加熱調理器の加熱動作を示すフローチャートである。
【図１３】誘導加熱調理器の第１の加熱手段の変形例を示す図である。
【図１４】実施の形態５に係る誘導加熱調理器の概略構成を示す斜視図である。
【図１５】実施の形態５に係る誘導加熱調理器のマッピング情報を説明する図である。
【発明を実施するための形態】
【０００９】
実施の形態１．
（全体構成）
図１は、実施の形態１に係る誘導加熱調理器の全体構成を示す斜視図である。
図１に示すように、誘導加熱調理器１００の上部には、食材が投入される鍋やフライパンなどの被加熱物が載置される天板４を有している。天板４には、被加熱物を誘導加熱するための加熱口として、第１の加熱口１、第２の加熱口２、第３の加熱口３とを備え、各加熱口に対応して、第１の加熱手段１１、第２の加熱手段１２、第３の加熱手段１３を備えており、それぞれの加熱口に対して被加熱物を載置して誘導加熱を行うことができるものである。
天板４には、第１の加熱手段１１、第２の加熱手段１２、及び第３の加熱手段１３の加熱範囲（加熱口）に対応して、鍋の大まかな載置位置を示す円形の鍋位置表示が、塗料の塗布や印刷等により形成されている。なお、各加熱口の配置はこれに限るものではない。また、加熱口の数は３つに限るものではなく任意の数で良い。
【００１０】
天板４の手前側には、第１の加熱手段１１、第２の加熱手段１２、及び第３の加熱手段１３で被加熱物を加熱する際の投入火力（投入電力）や調理メニュー（湯沸しモード、揚げ物モード等）を設定するための入力装置として、操作部４０が設けられている。また、操作部４０の近傍には、誘導加熱調理器１００の動作状態や操作部４０からの入力・操作内容等を表示する表示部４１が設けられている。
【００１１】
天板４の下方であって誘導加熱調理器１００の内部には、第１の加熱手段１１、第２の加熱手段１２、及び第３の加熱手段１３を備えており、各々の加熱手段はコイルで構成されている。コイルは、絶縁皮膜された任意の金属（例えば銅、アルミなど）からなる導電線を巻き付けることにより構成される。後述するインバータ回路５０により高周波電流が各コイルに供給されることで、各コイルからは高周波磁界が発生する。
また、誘導加熱調理器１００の内部には、インバータ回路５０を含め誘導加熱調理器全体の動作を制御するための制御部４５（図３参照）が設けられている。
【００１２】
天板４の上方には、非接触式の温度センサにより構成され、天板４上に載置された被加熱物又は食材の上面の温度を検知する上面温度検知装置３０が設置されている。上面温度検知装置３０が検知した温度の情報は、誘導加熱調理器１００の前面に設けた受信部４２によって受信される。上面温度検知装置３０は、例えば、誘導加熱調理器１００の上方に設けられた換気扇の筐体に取り付けても良いし、誘導加熱調理器１００が設定される壁面に取り付けても良い。なお、上面温度検知装置３０は、例えば、誘導加熱調理器１００の上方に設置されている換気扇連動システムに組み込む形式でも良い。なお、上面温度検知装置３０の詳細は後述する。なお、受信部４２の配置は、誘導加熱調理器１００の前面に限らず、誘導加熱調理器１００の上面（天板４の面）としても良く、上面温度検知装置３０と通信可能な位置であれば良い。
【００１３】
図２は、実施の形態１に係る誘導加熱調理器の第１の加熱手段を示す図である。
図２において、第１の加熱手段１１は、複数の分割コイル１１ａ〜１１ｅで構成されている。分割コイル１１ａは、第１の加熱口１の中央に配置されている。分割コイル１１ｂ〜１１ｅは、分割コイル１１ａの周囲に配置されている。
分割コイル１１ａは、円形の平面形状を有し、絶縁被膜された任意の金属（例えば銅、アルミなど）からなる導電線が円周方向に巻回されることにより構成されている。なお、図２に示す例では、略同心円状に配置された２つのコイルを直列接続して１つの分割コイル１１ａを構成している。
分割コイル１１ｂ〜１１ｅは、分割コイル１１ａの円形の外形にほぼ沿うようにして、分割コイル１１ａの周辺に配置されている。４つの分割コイル１１ｂ〜１１ｅは、略１／４円弧状（バナナ状または胡瓜状）の平面形状を有しており、絶縁皮膜された任意の金属（例えば銅、アルミなど）からなる導電線を略１／４円弧状の形状に沿って巻きつけることで構成される。
なお、以下の説明において、複数の分割コイル１１ａ〜１１ｅを区別しないときは単に、分割コイルと称する。
【００１４】
なお、第１の加熱手段１１を構成する分割コイルの数は５つに限定されるものではない。また、各分割コイルの形状もこれに限るものではなく、例えば分割コイル１１ｂ〜１１ｅを全てが円形でも良い。
【００１５】
図３は、実施の形態１に係る誘導加熱調理器の第１の加熱手段の駆動回路を示すブロック図である。
図３に示すように、第１の加熱手段１１の分割コイル１１ａ〜１１ｅは、インバータ回路５０ａ〜５０ｅにより各々が独立して駆動制御される。
インバータ回路５０ａ〜５０ｅには、整流回路（図示せず）を介して交流電源（商用電源）２１が接続される。交流電源２１から入力された交流電圧が整流されたあと、インバータ回路５０ａ〜５０ｅは、例えば２０ｋＨｚ〜１００ｋＨｚ程度の高周波の交流電力に変換して出力する。
【００１６】
制御部４５は、マイコン又はＤＳＰ（デジタルシグナルプロセッサ）等で構成される。制御部４５は、操作部４０からの操作内容等に基づいて、インバータ回路５０ａ〜５０ｅをそれぞれ制御する。また、制御部４５は、動作状態などに応じて、表示部４１への表示を行う。また、制御部４５には、受信部４２が上面温度検知装置３０から受信した温度の情報が入力される。制御部４５は、受信部４２から入力された温度の情報に基づき、インバータ回路５０ａ〜５０ｅをそれぞれ制御する。
受信部４２は、上面温度検知装置３０と無線通信を行う通信機器により構成される。
受信部４２は、例えば、Ｗｉ−Ｆｉ（登録商標）、Ｂｌｕｅｔｏｏｔｈ（登録商標）、赤外線通信など、任意の通信規格に適合した無線通信インターフェースによって構成される。なお、受信部４２と上面温度検知装置３０との間の通信は、無線に限らず有線により通信を行ってもよい。
【００１７】
（上面温度検知装置３０による温度検知）
図４は、実施の形態１に係る誘導加熱調理器の上面温度検知装置による温度検知の位置を模式的に示す側断面である。
図５は、実施の形態１に係る誘導加熱調理器の上面温度検知装置による温度検知の位置を模式的に示す平面図である。
図４及び図５に示すように、上面温度検知装置３０は、分割コイル１１ａ〜１１ｅの上方の位置における被加熱物５又は被加熱物５に投入された食材の上面の温度である上面温度Ｔ１ａ〜Ｔ１ｅが検知できるように構成される。
【００１８】
例えば、上面温度検知装置３０は、分割コイル１１ａ〜１１ｅのそれぞれに対応して設けられた複数の赤外線センサにより構成され、赤外線方式により、分割コイル１１ａ〜１１ｅのそれぞれの上方の位置における温度を検知する。即ち、上面温度検知装置３０は、指向性の高い温度センサなどによって、天板４の上方の測定位置における物体の温度を検知するように構成され、天板４上に被加熱物５が載置された場合には被加熱物５の上面の温度を検知し、被加熱物５の内部に食材等が投入されている場合には、食材の上面の温度を検知する。
上面温度検知装置３０により検出された各温度の情報は、検知位置を識別する情報と共に受信部４２に送信される。制御部４５は、受信部４２から取得した各温度の情報と検知位置を識別する情報とを対応付け、分割コイル１１ａ〜１１ｅのそれぞれに対応する上面温度Ｔ１ａ〜Ｔ１ｅを特定する。
【００１９】
なお、上面温度検知装置３０による温度検知の方式は、赤外線方式に限るものではない。被加熱物５の上面温度を非接触方式で検知するものであれば、任意の温度検知の方式を用いることができる。
【００２０】
（動作）
次に、本実施の形態１における誘導加熱調理器１００の動作について説明する。
【００２１】
図６は、実施の形態１に係る誘導加熱調理器の天板上に載置された被加熱物を示す平面図である。
図７は、実施の形態１に係る誘導加熱調理器の加熱動作を示すフローチャートである。
以下、図７の各ステップに基づき、図６を参照しつつ加熱動作を説明する。
【００２２】
使用者が誘導加熱調理器１００の電源をオンし、加熱開始ボタンの押下等により加熱動作が開始されると、制御部４５は加熱動作を開始する。
加熱動作の開始において、使用者が例えば３０００Ｗの所望火力で被加熱物５を加熱させようと動作開始させた場合、分割コイル１１ａ〜１１ｅのそれぞれに６００Ｗを火力投入できるように、制御部４５はインバータ回路５０ａ〜５０ｅを駆動する。これにより被加熱物５に対してトータル３０００Ｗの火力投入がなされる。即ち、加熱動作の開始時には、制御部４５は、分割コイル１１ａ〜１１ｅに供給される電力がそれぞれ同じになるように、インバータ回路５０ａ〜５０ｅを駆動する。
【００２３】
加熱動作が開始されると上面温度検知装置３０が稼働を開始し、予め設定された検知位置における温度検知を開始する（Ｓ１）。例えば図６に示すように、フライパンなどの被加熱物５に、ハンバーグなどの複数の食材５ａ〜５ｅが投入された場合、上面温度検知装置３０は、分割コイル１１ａ〜１１ｅの位置における食材５ａ〜５ｅの上面温度Ｔ１ａ〜Ｔ１ｅを検知する。
なお、図６に示す例では分割コイル１１ａ〜１１ｅの上方の全てに食材が載置されている場合を示すがこれに限るものではない。食材が載置されていない場合には、上面温度検知装置３０は、被加熱物５の上面温度を検知する。
【００２４】
制御部４５は、受信部４２が上面温度検知装置３０から受信した温度の情報等を取得し、分割コイル１１ａ〜１１ｅの上方の位置における被加熱物５又は被加熱物５に投入された食材の上面の温度である上面温度Ｔ１ａ〜Ｔ１ｅを取得する（Ｓ２）。
【００２５】
次に、制御部４５は、上面温度Ｔ１ａ〜Ｔ１ｅが不均一であるか否かを判断する（Ｓ３）。
被加熱物５に複数の食材が投入されている場合、分割コイル１１ａ〜１１ｅに供給される電力がそれぞれ同じであっても、各食材の厚みや分割コイルに対する食材の載置位置によっては、各食材の上面温度が均一とならないことがある。
制御部４５は、複数の上面温度Ｔ１ａ〜Ｔ１ｅをそれぞれ比較することで、食材の温度が不均一であるか否かを判断する。例えば、複数の上面温度のうち、ある上面温度と他の上面温度とをそれぞれ比較し、温度差が閾値以上の場合には、不均一であると判断する。
【００２６】
ステップＳ３において、上面温度Ｔ１ａ〜Ｔ１ｅが不均一でない場合にはステップＳ２に戻り、上述の動作を繰り返す。
一方、ステップＳ３において、上面温度Ｔ１ａ〜Ｔ１ｅが不均一である場合、制御部４５は温度均一制御を行う（Ｓ４）。
【００２７】
（温度均一制御）
温度均一制御において、制御部４５は、上面温度Ｔ１ａ〜Ｔ１ｅの差が少なくなるように、インバータ回路５０ａ〜５０ｅのそれぞれを制御する。この温度均一制御として、例えば以下のような制御を行う。この温度均一制御を行ったあと、再びステップＳ２に戻り、上述の動作を繰り返す。
【００２８】
（１）上面温度が低い分割コイルに供給する電力を増加させる制御
例えば、分割コイル１１ａの上方に載置された食材の上面温度Ｔ１ａが４０℃であり、その他の分割コイル１１ｂ〜１１ｅの上方に載置された食材の上面温度Ｔ１ｂ〜Ｔ１ｅが５０℃であるとき、制御部４５は分割コイル１１ａの上方の食材の温度が低いと判断する。この場合には、制御部４５は、分割コイル１１ａに供給する電力（投入火力）を増加させるように、インバータ回路５０ａの駆動を制御する。
例えば、制御部４５は、分割コイル１１ａの投入火力を６００Ｗから７５０Ｗへと増加させる。そして、上面温度Ｔ１ａが他箇所の上面温度Ｔ１と略一致すると、制御部４５は、分割コイル１１ａの投入火力を６００Ｗに復帰させる。
【００２９】
なお、１つの加熱口に対する投入火力には、上限が設けられているため、制御部４５は、分割コイル１１ａ〜１１ｅのそれぞれの投入火力の合計が、上限値を下回るように制御しても良い。
例えば、１つの加熱口に対するトータルの投入火力の上限値が３０００Ｗの場合、分割コイル１１ａの投入火力を６００Ｗから７５０Ｗへと増加させるとトータルの投入電力が３１５０Ｗとなる。このため、制御部４５は、例えば分割コイル１１ｂ〜１１ｅの投入火力を一律に低下させてトータルの投入火力が３０００Ｗとなるように制御してもよい。即ち、上面温度Ｔ１が低い分割コイルへの投入火力を増加させ、上面温度Ｔ１が高い分割コイルへの投入火力を減少させるデマンド制御を行ってもよい。
なお、使用者の所望火力が上限値以下（例えば２０００Ｗ）であれば、デマンド制御を行わなくてもよい。
【００３０】
（２）上面温度が高い分割コイルに供給する電力を減少させる制御
例えば、分割コイル１１ａの上方に載置された食材の上面温度Ｔ１ａが６０℃であり、その他の分割コイル１１ｂ〜１１ｅの上方に載置された食材の上面温度Ｔ１ｂ〜Ｔ１ｅが５０℃であるとき、制御部４５は分割コイル１１ａの上方の食材の温度が高いと判断する。この場合には、制御部４５は、分割コイル１１ａに供給する電力（投入火力）を減少させるように、インバータ回路５０ａの駆動を制御する。
例えば、制御部４５は、分割コイル１１ａの投入火力を６００Ｗから５００Ｗへと減少させる。そして、上面温度Ｔ１ａが他箇所の上面温度Ｔ１と略一致すると、制御部４５は、分割コイル１１ａの投入火力を６００Ｗに復帰させる。
【００３１】
（３）複数の上面温度のうち最大値に合わせる制御
上記（１）及び（２）では、分割コイルの上方の食材の１箇所の上面温度Ｔ１が他箇所の上面温度Ｔ１と比較して高い、または低い場合の制御を示したが、分割コイル１１ａ〜１１ｅの５箇所の温度が全て又は一部の温度が合致していない場合には次のような制御を行ってもよい。
例えば、上面温度Ｔ１ａが６０℃であり、上面温度Ｔ１ｂ〜Ｔ１ｅが６０℃未満である場合、制御部４５は、上面温度Ｔ１ａが最大値であると判断し、分割コイル１１ｂ〜１１ｅの投入火力を増加させるように、インバータ回路５０ｂ〜５０ｅの駆動を制御する。
投入火力の増加量は、例えば上面温度の最大値と当該分割コイルの上面温度Ｔ１との温度差に応じて設定しても良い。つまり、上面温度Ｔ１の最大値と当該分割コイルの上面温度Ｔ１との温度差が大きいほど、投入火力の増加量を大きく設定する。そして、制御部４５は、投入火力を増加させた分割コイルの上面温度が最大値と略一致すると、当該分割コイルの投入火力を増加前の火力に復帰させる。
【００３２】
（４）複数の上面温度のうち最小値に合わせる制御
例えば、上面温度Ｔ１ａが６０℃であり、上面温度Ｔ１ｂ〜Ｔ１ｅが６０℃を超える温度である場合、制御部４５は、上面温度Ｔ１ａが最小値であると判断し、分割コイル１１ｂ〜１１ｅの投入火力を減少させるように、インバータ回路５０ｂ〜５０ｅの駆動を制御する。
投入火力の減少量は、例えば上面温度の最小値と当該分割コイルの上面温度Ｔ１との温度差に応じて設定しても良い。つまり、上面温度Ｔ１の最小値と当該分割コイルの上面温度Ｔ１との温度差が大きいほど、投入火力の減少量を大きく設定する。そして、制御部４５は、投入火力を減少させた分割コイルの上面温度が最小値と略一致すると、当該分割コイルの投入火力を減少前の火力に復帰させる。
【００３３】
（５）複数の上面温度の平均値に合わせる制御
例えば、制御部４５は、上面温度Ｔ１ｂ〜Ｔ１ｅの平均値を算出し、上面温度Ｔ１ｂ〜Ｔ１ｅのそれぞれが平均値と一致するように、分割コイル１１ｂ〜１１ｅの投入火力を設定する。即ち、上面温度Ｔ１が平均値よりも低い分割コイルの投入火力を増加させ、上面温度Ｔ１が平均値よりも高い分割コイルの投入火力を減少させる。
投入火力の設定値は、例えば設定対象の分割コイルの上面温度Ｔ１と平均値との温度差に応じて設定しても良い。つまり、上面温度Ｔ１の平均値と当該分割コイルの上面温度Ｔ１との温度差が大きいほど、投入火力の変化量を大きく設定する。
【００３４】
（６）目標温度に合わせる制御
例えば、制御部４５は、操作部４０から入力された目標温度、又は調理メニューなどで予め設定された目標温度を取得し、上面温度Ｔ１ｂ〜Ｔ１ｅのそれぞれが目標温度と一致するように、分割コイル１１ｂ〜１１ｅの投入火力を設定する。即ち、上面温度Ｔ１が目標温度よりも低い分割コイルの投入火力を増加させ、上面温度Ｔ１が目標温度よりも高い分割コイルの投入火力を減少させる。
投入火力の設定値は、例えば設定対象の分割コイルの上面温度Ｔ１と目標温度との温度差に応じて設定しても良い。つまり、上面温度Ｔ１の目標値と当該分割コイルの上面温度Ｔ１との温度差が大きいほど、投入火力の変化量を大きく設定する。
【００３５】
なお、温度均一制御は、上記（１）〜（６）に限定されるものではない。制御部４５は、複数の分割コイルのそれぞれに対応する上面温度Ｔ１の温度差が少なくなるように、複数のインバータ回路５０をそれぞれ駆動させる制御を、温度均一制御として行うことができる。
【００３６】
なお、上記の動作に加えて、次のような動作を行ってもよい。即ち、上面温度Ｔ１ａ〜Ｔ１ｅのうちの少なくとも１つが、予め設定した上限値を超えた場合、制御部４５は、加熱動作の停止又は火力低下の措置を採るようにしてもよい。さらに、制御部４５は表示部４１により、使用者への異常報知を行ってもよい。
【００３７】
なお、本実施の形態１においては、１つの加熱口に対して５つの分割コイル１１ａ〜１１ｅを備えた場合を説明したが、本発明はこれに限定されず、少なくとも２つの分割コイルを備えていればよい。
なお、分割コイル１１ａ〜１１ｅのうちの任意の１つが、本発明における「第１コイル」に相当し、他の１つが、本発明の「第２コイル」に相当する。
また、インバータ回路５０ａ〜５０ｅのうちの任意の１つが、本発明における「第１インバータ回路」に相当し、他の１つが、本発明の「第２インバータ回路」に相当する。
また、上面温度検知装置３０は、本発明の「温度検知装置」に相当する。
また、被加熱物５及びこの被加熱物５に投入された食材等は、本発明の「被加熱物」に相当する。
【００３８】
以上のように本実施の形態においては、被加熱物５又は被加熱物５に投入された食材の上面温度Ｔ１を検知する上面温度検知装置３０を備え、制御部４５は、複数の分割コイルのそれぞれに対応する上面温度Ｔ１の温度差が少なくなるように、複数のインバータ回路５０の駆動を制御する。
このため、被加熱物５に投入された食材の温度ムラを抑制することができる。例えばフライパン等の被加熱物５でハンバーグ等の食材を加熱する場合を想定したとき、フライパンを加熱口に載置する位置や、食材の厚み、フライパン内の食材位置等によらず、食材を均一な温度に加熱することができる。
また、食材の温度ムラを抑制することで、食材の焦げや生焼けを回避することができ、調理の仕上がりを改善することができる。
したがって、調理の終了時に食材の仕上がり具合を均一にすることが可能となり、使い勝手を改善することができる。
【００３９】
実施の形態２．
本実施の形態２においては、食材の厚み方向（上下方向）の温度差を検知する構成及び動作について説明する。
以下、本実施の形態２における誘導加熱調理器１００の構成及び動作を、上記実施の形態１との相違点を中心に説明する。
【００４０】
（構成）
図８は、実施の形態２に係る誘導加熱調理器の第１の加熱手段と底面温度検知装置を示す平面図である。
図９は、実施の形態２に係る誘導加熱調理器の上面温度検知装置及び底面温度検知装置による温度検知の位置を模式的に示す側断面である。なお、図９においては、一部の構成については図示を省略している。また、図９は、フライパンなどの被加熱物５に、ハンバーグなどの複数の食材５ａ〜５ｅが投入された状態の縦断面を示しており、食材５ａ、５ｃ、５ｅのみを図示している。
【００４１】
図８及び図９に示すように、天板４の下方には、天板４上に載置された被加熱物又は食材の下面の温度を検知する底面温度検知装置３５ａ〜３５ｅが設置されている。例えば、底面温度検知装置３５ａ〜３５ｅは、それぞれ、分割コイル１１ａ〜１１ｅの略中央に配置されている。なお、底面温度検知装置３５ａ〜３５ｅの配置はこれに限らず、分割コイル１１ａ〜１１ｅの近傍の位置であれば良く、例えば分割コイル１１ａ〜１１ｅの間隙に配置しても良い。
底面温度検知装置３５ａ〜３５ｅは、例えば天板４の底面に接触して設けられ接触式の温度センサにより構成されている。接触式の温度センサとしては例えばサーミスタを用いることができる。
【００４２】
底面温度検知装置３５ａ〜３５ｅは、それぞれ、分割コイル１１ａ〜１１ｅの上方の位置における被加熱物５又は被加熱物５に投入された食材の底面の温度である底面温度Ｔ２ａ〜Ｔ２ｅを検知する。底面温度検知装置３５ａ〜３５ｅのそれぞれが検知した底面温度Ｔ２ａ〜Ｔ２ｅの情報は制御部４５に入力される。即ち、底面温度検知装置３５ａ〜３５ｅが検知した天板４の底面の温度は、被加熱物５の底面の温度と略同じであるため、制御部４５は、天板４の底面の温度を被加熱物５の底面温度Ｔ２として取得する。なお、制御部４５は、天板４の伝熱による熱損失を考慮して、底面温度検知装置３５ａ〜３５ｅが検知した温度を補正してこれを底面温度Ｔ２としても良い。
【００４３】
なお、底面温度検知装置３５ａ〜３５ｅは、接触式の温度センサに限らず非接触式の温度センサを用いても良い。例えば、天板４の下方に配置された赤外線センサなどにより、天板４を透過した赤外線を検知することで、被加熱物５の下面の温度を検知しても良い。
【００４４】
（動作）
次に、本実施の形態１における誘導加熱調理器１００の動作について説明する。
【００４５】
フライパンなどの被加熱物５に、ハンバーグなどの複数の食材５ａ〜５ｅが投入されると、底面温度検知装置３５ａ〜３５ｅは、分割コイル１１ａ〜１１ｅの位置における食材５ａ〜５ｅの底面温度Ｔ２ａ〜Ｔ２ｅを検知する。また、上記実施の形態１と同様に、上面温度検知装置３０は、分割コイル１１ａ〜１１ｅの位置における食材５ａ〜５ｅの上面温度Ｔ１ａ〜Ｔ１ｅを検知する。
制御部４５は、分割コイル１１ａ〜１１ｅのそれぞれの位置における、底面温度Ｔ２と上面温度Ｔ１との温度差ΔＴを求め、各食材５ａ〜５ｅにおいて温度差ΔＴが均一になるように、インバータ回路５０ａ〜５０ｅの駆動を制御する。
このような動作の詳細を図１０を用いて説明する。
【００４６】
図１０は、実施の形態２に係る誘導加熱調理器の加熱動作を示すフローチャートである。以下、図１０の各ステップに基づき説明する。
使用者が誘導加熱調理器１００の電源をオンし、加熱開始ボタンの押下等により加熱動作が開始されると、制御部４５は加熱動作を開始する。
加熱動作の開始において、使用者が例えば３０００Ｗの所望火力で被加熱物５を加熱させようと動作開始させた場合、分割コイル１１ａ〜１１ｅのそれぞれに６００Ｗを火力投入できるように、制御部４５はインバータ回路５０ａ〜５０ｅを駆動する。これにより被加熱物５に対してトータル３０００Ｗの火力投入がなされる。即ち、加熱動作の開始時には、制御部４５は、分割コイル１１ａ〜１１ｅに供給される電力がそれぞれ同じになるように、インバータ回路５０ａ〜５０ｅを駆動する。
【００４７】
加熱動作が開始されると上面温度検知装置３０及び底面温度検知装置３５が稼働を開始する（Ｓ２１）。例えば、被加熱物５に複数の食材５ａ〜５ｅが投入された場合、上面温度検知装置３０は、分割コイル１１ａ〜１１ｅの位置における食材５ａ〜５ｅの上面温度Ｔ１ａ〜Ｔ１ｅを検知する。底面温度検知装置３５ａ〜３５ｅは、分割コイル１１ａ〜１１ｅの位置における食材５ａ〜５ｅの底面温度Ｔ２ａ〜Ｔ２ｅを検知する。
【００４８】
次に、制御部４５は、底面温度検知装置３５ａ〜３５ｅにより検知された底面温度Ｔ２ａ〜Ｔ２ｅが、予め設定された調理適温閾値Ｂに達したか否かを判断する（Ｓ２２）。制御部４５は、底面温度Ｔ２ａ〜Ｔ２ｅの全てが調理適温閾値Ｂに達した場合、ステップＳ２３に進む。底面温度Ｔ２ａ〜Ｔ２ｅの全てが調理適温閾値Ｂに達していない場合にはステップＳ２２を繰り返す。
【００４９】
ステップＳ２３において、制御部４５は、底面温度Ｔ２ａ〜Ｔ２ｅが調理適温閾値Ｂを維持するように、分割コイル１１ａ〜１１ｅへの投入火力を減少させるためにインバータ回路５０ａ〜５０ｅを制御する。
【００５０】
次に、制御部４５は、分割コイル１１ａ〜１１ｅのそれぞれの位置における、底面温度Ｔ２と上面温度Ｔ１との温度差ΔＴ（＝Ｔ２−Ｔ１）を算出する（Ｓ２４）。
そして、制御部４５は、分割コイル１１ａ〜１１ｅのそれぞれについて、温度差ΔＴが略ゼロで有るか否かを判断し（Ｓ２５）、温度差ΔＴが略ゼロでない分割コイルに対する制御については、上記ステップＳ２３に戻り上述の動作を繰り返す。
【００５１】
例えば、分割コイル１１ａの上方の底面温度Ｔ２ａと上面温度Ｔ１ａとの温度差ΔＴａ（＝Ｔ２ａ−Ｔ１ａ）が略ゼロの場合（ΔＴａ≒０）、分割コイル１１ａの上方に載置された食材５ａの厚み方向に温度差が略無く、食材５ａの内部に熱が十分に伝わっていると判断することができる。
一方、例えば、分割コイル１１ｃの上方の底面温度Ｔ２ｃと上面温度Ｔ１ｃとの温度差ΔＴｃ（＝Ｔ２ｃ−Ｔ１ｃ）が略ゼロでない場合（例えばΔＴｃ≒２０℃）、分割コイル１１ｃの上方に載置された食材５ｃの厚み方向に温度差が生じており、食材５ｃの上面（表面）の温度が低いと判断することができる。
【００５２】
ステップＳ２５において、温度差ΔＴが略ゼロで有ると判断した分割コイルについては、制御部４５は、底面温度Ｔ２が調理適温閾値Ｂを維持するように当該分割コイルのインバータ回路５０を制御する。
なお、このステップＳ２５の制御は、分割コイルへの投入火力をステップＳ２３における投入火力よりも小さく設定した保温制御である。例えば、１０段階の火力のうち、ステップＳ２３における火力を「５」に設定し、ステップＳ２５における火力を「３」に設定する。
【００５３】
（温度均一制御）
上記ステップＳ２３において、制御部４５は、各食材５ａ〜５ｅのそれぞれの温度差ΔＴの差が少なくなるように、インバータ回路５０ａ〜５０ｅのそれぞれを制御する。
上述した実施の形態１では、各分割コイルの上方の上面温度Ｔ１を比較して、各インバータ回路５０を制御したが、本実施の形態２においては、上面温度Ｔ１に代えて温度差ΔＴを用いて温度均一制御を行う。即ち、上記実施の形態１で説明した温度均一制御（１）〜（６）において、上面温度Ｔ１に代えて温度差ΔＴを用いて同様の制御を行う。
【００５４】
例えば、分割コイル１１ａの温度差ΔＴａが分割コイル１１ｂ〜１１ｅの温度差ΔＴｂ〜Ｔｅよりも大きい場合、制御部４５は、分割コイル１１ａへの投入火力を増加させるように、インバータ回路５０ａの駆動を制御する。
また例えば、分割コイル１１ａの温度差ΔＴａが分割コイル１１ｂ〜１１ｅの温度差ΔＴｂ〜Ｔｅよりも小さい場合、制御部４５は、分割コイル１１ａへの投入火力を減少させるように、インバータ回路５０ａの駆動を制御する。
また例えば、分割コイル１１ａの温度差ΔＴａが分割コイル１１ｂ〜１１ｅの温度差ΔＴｂ〜Ｔｅよりも小さい場合、制御部４５は、分割コイル１１ａへの投入火力を減少させ、分割コイル１１ｂ〜１１ｅへの投入火力を増加させるように、インバータ回路５０ａ〜５０ｅの駆動を制御する。
なお、温度均一制御は、上記（１）〜（６）に限定されるものではない。制御部４５は、複数の分割コイルのそれぞれに対応する温度差ΔＴの差が少なくなるように、複数のインバータ回路５０をそれぞれ駆動させる制御を、温度均一制御として行うことができる。
【００５５】
以上のように本実施の形態２においては、制御部４５は、分割コイル１１ａ〜１１ｅのそれぞれの位置における、底面温度Ｔ２と上面温度Ｔ１との温度差ΔＴを求め、各食材５ａ〜５ｅにおいて温度差ΔＴが均一になるように、インバータ回路５０ａ〜５０ｅの駆動を制御する。
このため、被加熱物５に投入された食材の厚み方向に対する温度ムラを抑制することができる。
また、底面温度Ｔ２と上面温度Ｔ１との温度差ΔＴが均一になるように、温度均一制御を行うことで、被加熱物５に投入された複数の食材の調理仕上がりタイミングを略同じとすることができる。
【００５６】
また、温度差ΔＴが略ゼロで有ると判断した分割コイルについては、制御部４５は、底面温度Ｔ２が調理適温閾値Ｂを維持するように当該分割コイルのインバータ回路５０を制御する。
このため、保温制御と加熱制御の同時制御を実現することができる。即ち、各食材の温度差ΔＴが略ゼロとなるように加熱制御を行うことで調理仕上がりを改善でき、且つ１つの被加熱物５内で加熱調理と保温の同時制御が可能となり、使い勝手を大幅に改善することができる。
【００５７】
実施の形態３．
本実施の形態３においては、被加熱物５に食材が投入されていない状態で加熱動作が継続される空焼きを検知する動作について説明する。
以下、本実施の形態３における誘導加熱調理器１００の動作を、上記実施の形態１及び２との相違点を中心に説明する。
【００５８】
図１１は、実施の形態３に係る誘導加熱調理器の加熱動作を示すフローチャートである。以下、図１１の各ステップに基づき説明する。
なお、誘導加熱調理器１００のアプリケーションとして、被加熱物５の温度を設定温度まで加熱する「予熱モード」がある。以下、「予熱モード」以外の調理モードを「通常モード」と称する。
【００５９】
（空焼き検知動作）
使用者が誘導加熱調理器１００の電源をオンし、加熱開始ボタンの押下等により加熱動作が開始されると、制御部４５は加熱動作を開始する。
加熱動作が開始されると上面温度検知装置３０及び底面温度検知装置３５が稼働を開始する（Ｓ３１）。
次に、制御部４５は、分割コイル１１ａ〜１１ｅのそれぞれの位置における、底面温度Ｔ２と上面温度Ｔ１との温度差ΔＴ（＝Ｔ２−Ｔ１）を算出する（Ｓ３２）。
【００６０】
制御部４５は、調理モードが予熱モードであるか否かを判断し（Ｓ３４）、予熱モードである場合には、ステップＳ３５へ進み予熱モードにおける予熱動作を継続する（Ｓ３５）。即ち、予熱モードにおいては空焼きを前提とする調理モードであるため、以降の動作を実施しない。
【００６１】
一方、調理モードが予熱モードでない場合、即ち、調理モードが通常モードである場合、制御部４５は、加熱開始からの予め設定した経過時間（例えば１分後）を待って（Ｓ３６）、ステップＳ３７へ進む。
【００６２】
ステップＳ３７において、制御部４５は、分割コイル１１ａ〜１１ｅのそれぞれについて、温度差ΔＴが略ゼロで有るか否かを判断する。ここで、制御部４５は、例えば、温度差ΔＴが予め設定した閾値（例えば１℃）よりも小さい場合、温度差ΔＴが略ゼロで有ると判断する。
制御部４５は、分割コイル１１ａ〜１１ｅの温度差ΔＴａ〜ΔＴｅの全てが略ゼロである場合、食材が被加熱物５に投入されていない空焼きであると判断し、加熱動作を停止させる（Ｓ３８）。
一方、分割コイル１１ａ〜１１ｅの温度差ΔＴａ〜ΔＴｅの全てが略ゼロでない場合、制御部４５は、被加熱物５内に食材が載置されていると判断し、加熱動作を継続する（Ｓ３９）。
【００６３】
なお、ステップＳ３７においては、分割コイル１１ａ〜１１ｅの温度差ΔＴａ〜ΔＴｅの全てが略ゼロであるか否かを判断したが、これに限定されず、一部の温度差ΔＴのみを用いて空焼きを判断しても良い。例えば、加熱口の中央に配置された分割コイル１１ａの温度差ΔＴａが略ゼロである場合には、空焼きであると判断して加熱を停止しても良い。
【００６４】
なお、本実施の形態３における空焼き検知動作の後、加熱動作を継続した際には、上記実施の形態１又は２の動作に移行し、食材の温度を均一にする制御を実施する。
【００６５】
以上のように本実施の形態３においては、インバータ回路５０の駆動の開始から予め設定した経過時間後における温度差ΔＴが閾値よりも小さい場合、インバータ回路５０の駆動を停止させる。
このため、被加熱物５の温度が高温に至る前に、被加熱物５の空焼き状態を検知することができる。よって、無駄な加熱を継続することがなく省エネルギー化を図ることができる。また、被加熱物５の劣化の防止を図ることができる。
【００６６】
なお、従来の誘導加熱調理器における空焼き検知では、例えば天板４の下の温度センサ（赤外線センサ又はサーミスタ等）も用いて、被加熱物５の温度を検知し、被加熱物５が十分に高い温度（例えば３００℃）に達したときに空焼きと判断して加熱停止がなされていた。
【００６７】
実施の形態４．
本実施の形態４においては、インバータ回路５０の駆動周波数を制御する動作について説明する。
以下、本実施の形態４における誘導加熱調理器１００の動作を、上記実施の形態１〜３との相違点を中心に説明する。
【００６８】
一般に、誘導加熱調理器用の被加熱物５の中には、非磁性体の金属の中央部に磁性金属を溶射又は貼り付けたものがある。例えば、非磁性体のアルミ材質のフライパンの底の中央部にステンレスなどの磁性体金属が貼り付けられた貼付フライパンや、フライパンの底に鉄などの磁性体をコーティングした溶射フライパンなどが多く存在する。
このような異種金属の被加熱物５が加熱口に載置された場合、加熱口の中央に配置した分割コイル１１ａと、その周囲に配置した分割コイル１１ｂ〜１１ｅの駆動周波数を同一、あるいは近似した周波数に設定すると、中央部（内周部）と外周部（鍋肌部）を同じ温度で加熱することできない。すなわち、底面に鉄などの磁性材が溶射された被加熱物５の中心部分のみが誘導加熱され、非磁性体である被加熱物５の鍋肌部の温度は中心部と比較して上がらない。非磁性体のアルミ材質である鍋肌部を加熱するためには、通常のインバータ駆動周波数（２０ｋＨｚ〜３０ｋＨｚ程度）に対し、高周波による駆動（一般に６０ｋＨｚ〜１００ｋＨｚ）が必要となる。
【００６９】
このような異種金属の被加熱物５を誘導加熱する動作を以下に説明する。
図１２は、実施の形態４に係る誘導加熱調理器の加熱動作を示すフローチャートである。以下、図１２の各ステップに基づき説明する。
加熱動作が開始されると上面温度検知装置３０が稼働を開始する（Ｓ４１）。
次に、制御部４５は、加熱口の中央に配置された分割コイル１１ａの上面温度Ｔ１ａを、中心部温度ＤＥＴ＿Ｃとして取得する。また、加熱口の外周部（鍋肌部）に配置された分割コイル１１ｂ〜１１ｅの上面温度Ｔ１ｂ〜１１ｅを、鍋肌部温度ＤＥＴ＿Ｓとして取得する（Ｓ４２）。
【００７０】
次に、制御部４５は、中心部温度ＤＥＴ＿Ｃと鍋肌部温度ＤＥＴ＿Ｓとの差分ΔＴｃｓを算出する（Ｓ４３）。そして、制御部４５は、差分ΔＴｃｓが閾値Ｃよりも大きいか否かを判断する（Ｓ４４）。
差分ΔＴｃｓが閾値Ｃよりも大きい場合、制御部４５は、被加熱物５が貼付鍋であると判断し、分割コイル１１ｂ〜１１ｅの駆動周波数を、分割コイル１１ａの駆動周波数よりも高くする。例えば、分割コイル１１ｂ〜１１ｅの駆動周波数を約２５ｋＨｚ程度から約７５ｋＨｚ程度に上昇させて鍋肌部分の加熱を行えるようにする。なお、駆動周波数の上昇量は、予め設定した周波数でも良いし、差分ΔＴｃｓに応じた周波数に設定してもよい。なお、駆動周波数を高周波とする際は、インバータ回路５０を構成する共振用コンデンサ（図示せず）の切り替えも併せて必要となる。
【００７１】
一方、差分ΔＴｃｓが閾値Ｃよりも大きくない場合、制御部４５は、各分割コイルの駆動周波数を同じにして、通常の駆動を行う（Ｓ４６）。
【００７２】
以上のように本実施の形態４においては、中心部分の上面温度と、鍋肌部分の上面温度を比較し、鍋肌部分の上面温度が上がらないときに限り貼付鍋と判定し、鍋肌部分の分割コイルのインバータ回路５０を高周波駆動するように制御する。
このため、被加熱物５の材質により一意的にインバータ駆動周波数を決定するのではなく、食材の上面温度によりインバータ駆動周波数を決定することができる。これにより、鍋肌部分がアルミ材料であっても、被加熱物５の伝熱により鍋肌部分の食材温度が上がっているときは高周波駆動としなくて良く、インバータ回路５０の損失増大や分割コイルの損失増大を回避できる。したがって、インバータ回路５０の発熱による冷却風の排気温度を下げることができ、使い勝手を向上させることができる。
【００７３】
またインバータ回路５０を構成するスイッチングデバイスに、従来はＩＧＢＴ等のＳｉ（シリコン）素子を適用していたが、ワイドバンドギャップ半導体であるＳｉＣ（シリコンカーバイド）素子を適用することで、排気温度を更に低下させることができるため、使い勝手の更なる向上を図ることが可能となる。さらにＳｉＣ（シリコンカーバイド）素子の適用で、排気温度を変えずに冷却風の風速を低下させることが可能となるため、静音化を図ることができる。
【００７４】
また、被加熱物５の負荷判定により鍋肌部分の材質をアルミと判定するのではなく、中心部と鍋肌部の温度の比較によって、駆動周波数を変化させる制御を行うので、貼付鍋であっても伝熱により鍋肌部の温度が上がっているときは、分割コイル１１ｂ〜１１ｅを高周波駆動する制御を行わない。
このため、貼付鍋の底面を略均一に加熱することができて使用者の使い勝手が向上することに加え、底面の鍋肌温度が上がらないときにのみ高周波駆動とするようにしたので、インバータ回路５０の損失を低減することが可能となる。
【００７５】
（変形例）
上記実施の形態１〜４では、第１の加熱口１の中央に配置された分割コイル１１ａと、この分割コイル１１ａの周囲に配置された分割コイル１１ｂ〜１１ｅを備える構成について説明したが、これに限らず任意の配置でよい。
【００７６】
図１３は、誘導加熱調理器の第１の加熱手段の変形例を示す図である。
図１３に示すように、第１の加熱手段１１は、略同心円状に配置された複数のコイルで構成されている。例えば、第１の加熱手段１１は、略同心円状に配置された４重のコイル１１−１〜１１−４で構成されている。これらコイル１１−１〜１１−４は、絶縁皮膜された任意の金属（例えば銅、アルミ等）からなる導電線を巻き付けることにより構成される。これらコイル１１−１〜１１−４は、それぞれ独立したインバータ回路５０ａ〜５０ｄにより駆動される。
このような構成においても、上述した実施の形態１〜４のいずれかと同様の動作を行うことができる。
【００７７】
実施の形態５．
図１４は、実施の形態５に係る誘導加熱調理器の概略構成を示す斜視図である。
図１４に示すように、本実施の形態５に係る誘導加熱調理器１００は、天板４の下方には、比較的小型の複数のコイル８０がほぼ均一的に分散配置されている。複数のコイル８０は、それぞれインバータ回路５０によって個別に駆動される。
また、本実施の形態５における制御部４５は、複数のコイル８０のそれぞれについて、上方に載置されている被加熱物の負荷判定を行う。
【００７８】
また、上述した上面温度検知装置３０に代わり、天板４上における複数のコイル８０の配置位置をすべて含む温度検知範囲ＤＥＴ＿Ａ（図１５参照）の温度を検知する上面温度検知装置３１を備えている。即ち、上面温度検知装置３１は、天板４上のどこに被加熱物５を載置しても被加熱物５に載置された食材の温度の検出が可能な複眼型の赤外線温度センサを備えている。上面温度検知装置３１は、受信部４２へ、天板４の前後及び左右方向（ＸＹ軸方向）に関する温度の情報を送信する。例えば、上面温度検知装置３１は、ＸＹ軸方向の各座標における温度の情報を受信部４２へ送信する。
【００７９】
図１５は、実施の形態５に係る誘導加熱調理器のマッピング情報を説明する図である。
図１５においては、上面温度検知装置３１による温度検知範囲ＤＥＴ＿Ａと複数のコイル８０の位置関係を示している。
制御部４５は、温度検知範囲ＤＥＴ＿ＡのＸＹ座標における、複数のコイル８０それぞれを特定するマッピング情報を予め具備している。例えば図１５に示すように、温度検知範囲ＤＥＴ＿ＡのＸＹ座標において、Ｘ１，Ｙ１の位置に配置されているコイル８０＿１１として特定し、Ｘ２，Ｙ１の位置に配置されているコイル８０＿２１として特定するように、上面温度検知装置３１の座標と複数のコイル８０とを対応付ける情報を具備している。
【００８０】
なお、このマッピング情報は、予め保存する場合に限るものではなく、例えば、天板４上の広範囲に被加熱物５を載置する、もしくは加熱用金属シートを天板４上に載置させ、複数のコイル８０を個別に順に通電した際の温度上昇位置から、複数のコイル８０と座標関係とを特定するマッピング情報を生成する構成としてもよい。
【００８１】
（動作）
使用者により天板４の任意の位置に被加熱物５が載置され、加熱開始（火力投入）の指示が操作部４０に行われると、制御部４５は負荷判定処理を行う。制御部４５は、複数のコイル８０のそれぞれについて、上方に載置された負荷の有無を判定する負荷判定処理を行う。
【００８２】
次に、制御部４５は、複数のコイル８０のうち、上方に被加熱物５が載置されていると判定したコイル８０を駆動するインバータ回路５０を制御して、誘導加熱させる火力に応じた高周波電力を供給する加熱動作を行う。なお、制御部４５は、無負荷であると判定したコイル８０を駆動するインバータ回路５０の動作を停止させる。
【００８３】
制御部４５は、上面温度検知装置３１が検知した温度検知範囲ＤＥＴ＿Ａの温度情報を取得し、マッピング情報を参照することで、加熱動作を行っているコイル８０の上方における被加熱物５の上面温度Ｔ１を取得する。
以降の動作は、上記実施の形態１〜４のいずれかと同様であり、上方に被加熱物５が載置されている複数のコイル８０それぞれに対応する上面温度Ｔ１の温度差が少なくなるように、複数のインバータ回路５０の駆動を制御する。
【００８４】
以上のように本実施の形態５においては、天板４の下方に均一に分散配置された複数のコイル８０と、天板４の上面の予め設定された温度検知範囲ＤＥＴ＿Ａの温度を検知する上面温度検知装置３１とを備えている。
このため、天板４上の広範囲にわたる温度検出を可能としている。これより天板４の下方に均一に分散配置された、所謂フリーエリア誘導加熱に適合することが可能となり、使用者の使い勝手を大幅に改善することができる。
また、複数の被加熱物５を隣接して天板４に載置して、複数の被加熱物５を同時に加熱する場合においても、例えば被加熱物５内の食材の温度が過昇している場合には、当該被加熱物５の直下の加熱コイルの電力を抑制することで、他の被加熱物５内の食材との調理仕上がりタイミングを合わせることが可能となり、使い勝手を向上させることができる。
【符号の説明】
【００８５】
１  第１の加熱口、２  第２の加熱口、３  第３の加熱口、４  天板、５  被加熱物、５ａ〜５ｅ  食材、６  天板、１１  第１の加熱手段、１１−１〜１１−４  コイル、１１ａ〜１１ｅ  分割コイル、１２  第２の加熱手段、１３  第３の加熱手段、２１  交流電源、３０  上面温度検知装置、３１  上面温度検知装置、３５ａ〜３５ｅ  底面温度検知装置、４０  操作部、４１  表示部、４２  受信部、４５  制御部、５０ａ〜５０ｅ  インバータ回路、８０  コイル、８０＿１１  コイル、８０＿２１  コイル。
【図１】
0006768830.tif 000002
【図２】
0006768830.tif 000003
【図３】
0006768830.tif 000004
【図４】
0006768830.tif 000005
【図５】
0006768830.tif 000006
【図６】
0006768830.tif 000007
【図７】
0006768830.tif 000008
【図８】
0006768830.tif 000009
【図９】
0006768830.tif 000010
【図１０】
0006768830.tif 000011
【図１１】
0006768830.tif 000012
【図１２】
0006768830.tif 000013
【図１３】
0006768830.tif 000014
【図１４】
0006768830.tif 000015
【図１５】
0006768830.tif 000016